(57)【要約】データ担体(2)のためのパッケージであって、プリント可能な材料から成るホルダー(4)と、該ホルダー(4)の内面(16,18)に配置された1つ以上の切欠き(6)とを有しており、該切欠き内には該データ担体(2)が配置されている形式のものにおいて、該切欠き(6)の深さが該データ担体(2)の厚さに実質的に相当し、そして該データ担体(2)の表面が、プリント可能な表面(8)を少なくとも部分的に有している、データ担体のためのパッケージ。
2006517893.tif 000002
【特許請求の範囲】
【請求項１】
データ担体(2)のためのパッケージであって、
-  プリント可能な材料から成るホルダー(4)と、
-  該ホルダー(4)の内面(16,18)に配置された1つ以上の切欠き(6)と
を有しており、
該切欠き内には該データ担体(2)が配置されている形式のものにおいて、
-  該切欠き(6)の深さが該データ担体(2)の厚さに実質的に相当し、そして
-  該データ担体(2)の表面が、プリント可能な表面(8)を少なくとも部分的に有している
ことを特徴とする、データ担体のためのパッケージ。
【請求項２】
該ホルダー(4)を取り囲むフレーム(10)が設けられており、該フレームと該ホルダー(4)とが少なくとも部分的に結合されている、請求項1に記載のパッケージ。
【請求項３】
データ担体(2)のためのパッケージであって、
-  プリント可能な材料から成るホルダー(4)と、
-  該ホルダー(4)の内面(16,18)に配置された、データ担体(2)を収容するための1つ以上の切欠き(6)と
を有している形式のものにおいて、
該ホルダー(4)を取り囲むフレーム(10)が設けられており、該フレームと該ホルダー(4)とが少なくとも部分的に結合されている、
ことを特徴とする、データ担体のためのパッケージ。
【請求項４】
-  該切欠き(6)内にデータ担体(2)が配置されており、
-  該切欠き(6)の深さが該データ担体(2)の厚さに実質的に相当し、そして
-  該データ担体(2)の表面が、プリント可能な表面(8)を少なくとも部分的に有している
、請求項3に記載のパッケージ。
【請求項５】
該データ担体(2)に、プリント可能な層がコーティングされている、請求項1から4までのいずれかに記載のパッケージ。
【請求項６】
該データ担体(2)に、紙乳剤がコーティングされている、請求項5に記載のパッケージ。
【請求項７】
該データ担体(2)が、プリント可能なステッカーを備えている、請求項5に記載のパッケージ。
【請求項８】
該ホルダー(4)が厚紙から成っている、請求項1から7までのいずれかに記載のパッケージ。
【請求項９】
該ホルダー(4)が2層状厚紙材料から成っている、請求項9に記載のパッケージ。
【発明の詳細な説明】
【技術分野】
【０００１】
本発明は、データ担体のためのパッケージであって、データ担体を確実に保管するために収容することができるホルダーを有するパッケージに関する。
【背景技術】
【０００２】
データ担体とは、好ましくは光学データ担体、例えばコンパクト・ディスク(CD)又はデジタル多用途ディスク(DVD)を意味する。しかし、本発明はこれに限定されることはなく、データ担体は他の形状、例えば方形又は正方形の形状を有することもできる。
【０００３】
前述の技術分野のパッケージ、例えばCDパッケージは従来、たいていの場合には透明なプラスチックから製作され、これらのパッケージ内にデータ担体が挿入されるようになっている。パッケージへの文字の書き入れは、たいていは紙から成る挿入体によってのみ可能であり、この挿入体は、透明プラスチックを通して見ることができる。
【０００４】
さらに、国際公開第99/35648号パンフレットから公知のパッケージは、完全に厚紙材料から製造され、ひいては視覚的な特性及び特に環境と調和した特性をも有する。特に、データ担体を保持するための固定部材も、専ら厚紙から製造される。さらに国際公開第99/35648号パンフレットには、パッケージにプリントを施すことにより、パッケージを特別に構成できることが開示されている。プリント後、データ担体はパッケージ内に挿入され、これによりその後、販売準備ができた製品として、音楽CD又は映画DVDの形態で市場に出される。
【０００５】
さらに、公知のCDパッケージの場合、ホルダーは厚紙材料から成っており、ホルダー上には、従来のプラスチック成形材が貼付けられている。こうして次いでこのCDをプラスチック成形材上に、CDが弾性的な中心部分上に係合するまで、押し当てることができる。つまりこのパッケージは、厚紙材料とプラスチック材料とから成る組み合わせである。
【０００６】
光学的記憶媒体は、既成商品としてだけではなく、一度又は二度以上書き込むことができるデータ担体、例えば幾つかだけを挙げるならば、フロッピー（登録商標）ディスク、CD-R、CD-RW、DVD+RW及びDVD-RWとしても知られている。末端利用者は、自分でデータ担体を選択した後、データ担体にデータを書き込むことができ、そして保管媒体及びスタック媒体として、従来のパッケージを利用する。これらのパッケージは、上述のように、通常は透明プラスチックから製作され、そして自分でプリントを施した紙挿入体をパッケージ内に押し込むことができる。従って、パッケージは制限された程度でしか個々に形成することはできない。それというのは、外側、特に外側表面が予め規定されているからである。
【０００７】
さらに、CD又はDVDが挿入されるパターンが公知であり、このパターンはCDもしくはDVDと一緒にプリンター内に導入することができ、これにより、CDもしくはDVDの表面にプリントを施すことができる。従って、データ担体自体にプリントすることはできるものの、パッケージは後に取り残されたままである。それというのは、パッケージは上述のような従来の形式でしか形成することができないからである。さらに、その都度所定のプリンター・タイプにだけ適した別個のパターンを使用することは、大きな手間がかかる方法である。
【発明の開示】
【発明が解決しようとする課題】
【０００８】
従って本発明の根底を成す技術的な課題は、個々に容易に形成することができるパッケージを提供することである。
【課題を解決するための手段】
【０００９】
前記技術的な課題は、本発明に基づいて、請求項1の特徴を有するパッケージによって解決される。
【００１０】
パッケージは任意のデータ担体に適しており、下記特徴、すなわち：プリント可能な材料から成るホルダーと、該ホルダーの内面に配置された1つ以上の切欠きとを有しており、該切欠き内には該データ担体が配置されている形式のものにおいて、該切欠きの深さが該データ担体の厚さに実質的に相当し、そして該データ担体の表面が、プリント可能な表面を少なくとも部分的に有している、という特徴を有している。
【００１１】
つまり本発明によれば、1プリント動作においてデータ担体と一緒にパッケージにプリントを施すことができ、ひいてはパッケージ及びデータ担体の一様であると同時に個別の外観が可能になることが認識されている。パッケージ及びデータ担体の内面にプリントが施される最初のプリント動作後、パッケージの背面にも同様にプリントが施されると、個々の外側形態を有する、データ担体を備えたパッケージが形成される。言うまでもなく、先ず背面にプリントを施し、その後初めてデータ担体と一緒に内面にプリントを施すこともできる。
【００１２】
これにより、従来のプリンターで個々にプリントすることができる、パッケージとデータ担体とから成るユニットが初めて提供される。プリンターに対する唯一の特別な要件は、このプリンターが、約2−2.5mm以上の厚さの材料を引き込むことを可能にすることである。
【００１３】
本発明の更なる教示内容によれば、上記技術的な課題は、下記特徴、すなわち：プリント可能な材料から成るホルダーと、該ホルダーの内面に配置された、データ担体を収容するための1つ以上の切欠きとを有している形式のものにおいて、該ホルダーを取り囲むフレームが設けられており、該フレームと該ホルダーとが少なくとも部分的に結合されている、という特徴を有する、データ担体のためのパッケージによって解決される。
【００１４】
本発明によれば、フレームが設けられていると、データ担体が切欠き内に配置されているかどうかとは無関係に、より良好に、そして特に最外縁までパッケージにプリントできることが、この構成において認識されている。フレームはパッケージそれ自体には属さず、プリント動作の終了時までパッケージに結合されている。その後、パッケージはフレームから分離され、個々にプリントされたパッケージは残ったままになる。フレームは特に、プリンター内部での案内及び搬送に役立つ。
【００１５】
前記両発明は共通して用いられることが特に好ましい。すなわち、パッケージが切欠き内にデータ担体を有しており、しかもフレームがパッケージに結合されていると、一方ではデータ担体及びパッケージが同時にプリントされるという利点と、他方ではパッケージが外縁までプリントされるという利点とを一つにする製品が形成される。
【００１６】
本発明の更なる特徴及び利点が、従属請求項、並びに、添付の図面に関連する実施例の下記説明に示されている。
【発明を実施するための最良の形態】
【００１７】
図1−4は、データ担体2のための本発明によるパッケージの第1実施例を示している。このデータ担体はここでは、光学データ担体、特にCDとして形成されている。パッケージは、プリント可能な材料から成るホルダー4を有している。ホルダー4のプリント可能な区分は、灰色陰影を有した状態で図示されている。データ担体2を収容するために、ホルダー4の内面には切欠き6が配置されている。図1, 3及び4が示すように、データ担体2は切欠き内に配置されている。
【００１８】
切欠き6は、データ担体2の厚さに実質的に相当する深さを有しており、データ担体2の表面は、プリント可能な表面8を部分的に有している。
【００１９】
これにより、パッケージの下記特性が得られる。ホルダー4の表面も、データ担体2の表面8もプリント可能であり、切欠き6の深さは実質的にデータ担体2の厚さに相当するので、この表面8とホルダー4の表面とは実質的に1平面内に位置する。データ担体2は切欠き6内に完全に収容されるので、パッケージ4をデータ担体2と一緒にプリンター内に挿入することができる。プリンターは言うまでもなく、2mm以上の範囲の厚さのパッケージにプリントを施すのに十分な間隙を解放しなければならない。プリント動作後、パッケージの、データ担体2とは反対の背面にもプリントを施すことができる。このような背面側を図2に示す。ここでもプリント可能な領域は、灰色の陰影を有する状態で図示されている。特に、畳み合わされたパッケージの背を後で形成する真ん中の細長い領域には、短いタイトル又は内容表示をプリントすることができる。
【００２０】
図5−図8には、本発明の第2実施例が示されている。第1実施例と比較して、切欠き内にデータ担体が配置されておらず、しかしフレーム10が設けられている。このフレームはホルダー4を取り囲み、そしてフレーム10には、ホルダー4が少なくとも部分的に結合されている。
【００２１】
この構成の利点は、プリント動作中に、プリンターがフレーム10を介してホルダー4に係合し、ホルダー4を案内して動かすこともできることである。このために、通常はガイドロールが使用され、これらのガイドロールは、特に上からと下からとでフレーム10に係合し、そして圧着下でフレームを固持して動かす。
【００２２】
さらに、本来のプリント領域であるホルダー4は、最外縁まではプリントできないということによって制限されることはない。それどころか、ホルダー4の、フレーム領域にまでもプリントできることにより、ホルダー4全体にプリントを施すことが保証される。
【００２３】
図1−4に示す第1実施例によれば、データ担体2には、プリント可能な層8をコーティングすることができる。これにより、プリント可能性それ自体が初めて形成される。それというのは、例えば、CD又はDVDの材料それ自体は、従来のプリンターで直接にはプリントできないからである。コーティングに関しては、種々のものが可能である。一方では、データ担体には、乳剤、特に紙乳剤をコーティングすることにより、データー担体2の表面に直接に結合されたプリント可能な層を形成することができる。他方では、ステッカー、特に紙ステッカーを適宜の形態で貼付けることもできる。
【００２４】
プリント可能な層のための基材として紙を使用する代わりに、他の原料を使用することもできる。例えば、プリント可能な表面を有するプラスチックを使用することもできる。データ担体は、例えばデータ担体が外皮を有する場合に、それ自体に直接にプリント可能であってもよい。このことは例えば従来のフロッピー（登録商標）ディスクに当てはまる。
【００２５】
さらに、ホルダー4自体が厚紙材料又は紙材料から成っていて、ホルダー4自体が直接にプリント可能であってもよい。直接にプリント可能なプラスチックからホルダー4を製造することにより、紙又は厚紙表面を必要でなくすることも可能である。
【００２６】
データ担体2及びホルダー4の前述のプリント可能な表面の場合、写真用紙から成る表面コーティングを使用することが好ましい。これにより、例えば従来のインクジェットプリンターによって、極めて良好なプリント品質を達成することができる。これと並んで、他の全てのタイプのプリンター、例えばサーモ・プリンター又はレーザー・プリンターも、それぞれのプリンターを用いて良好にプリントすることができる紙表面を選択すると、好適である。
【００２７】
図3及び4、並びに図7及び8から明らかなように、図示の実施例は2層状厚紙材料から成っている。このために、図10に関して以下に詳細に説明するように、厚紙供給側からブランクが打ち抜かれる。このブランクを折り畳み、接着し、新たに打ち抜くことにより、本発明によるパッケージが形成される。
【００２８】
図1−4並びに図5−8に示された実施例は、前側12及び後ろ側14を備えたそれぞれ1つのホルダー4を有している。後ろ側14の内面16は切欠き6を有しており、前側12は、後ろ側14にヒンジ状に結合されている。従って、前側12は、後ろ側14の内面16を覆うのに適している。これにより本に類似した形状(ブックレット)が形成される。この形状は、典型的なCDパッケージと同様に開方向及び閉方向に旋回することができる。
【００２９】
光学データ担体、例えばCD又はDVDは円形であり、中心に配置された開口20を有している。これに適合するように、図示の実施例において、やはり円形の切欠き6の中心には固定部材22が位置している。この固定部材の外径は、開口20の内径に適合されている。固定部材22は、ホルダー4と同じ材料から成っていることが好ましいが、しかし、他の材料から選択的に成っていてもよい。また、固定部材22の表面がプリント可能であることは必要でない。固定部材22は、弾性部材を有するプラスチックから成る従来の固定部材であってもよい。固定部材は、データ担体表面の平面から上方に向かって突出することはないという条件を満たすだけで済む。
【００３０】
固定部材22はここでは必須のものではない。それというのは、円形の切欠き6が、データ担体2の外形に適合された内径を有する場合、データ担体2を切欠き6の内縁によって、外周縁に沿って保持し、ひいては固定することができるからである。そのために、前述の固定部材22は必要でない。
【００３１】
今日広範囲に普及している光学データ担体の円形形状は、本発明にとっては必ずしも必要ではない。図9に示すように、データ担体2'は方形、特に正方形の形状を有することもできる。この場合切欠き6'は、データ担体2'に適合された形状を有している。その他の点では、図9に示された第3実施例は、全ての別の特徴において、前述又は後述の特徴と同じである。
【００３２】
図10A−10Dにより、本発明によるパッケージの製造方法を以下に説明する。この方法は、それ自体独立した本発明の特徴を有しており、また独立して請求することもできる。
【００３３】
図10A−10Dは、パッケージの製造を示す。このパッケージは、図1−4並びに図5−8に示す第1及び第2実施例双方の組み合わせを示す。プリント可能なパッケージは、データ担体もフレームも有している。これにより、全ての前述の利点が1つになる。
図10Aは、この方法の出発点を形成する。厚紙供給側から、図示の形状が打ち抜かれる。外輪郭24の寸法は、後で明らかになるように、フレームを有するホルダー4の外輪郭26の寸法の2倍よりも大きい。
【００３４】
別の輪郭28a及び28bが、やはり厚紙材料から打ち抜かれ、それぞれホルダー4の外輪郭を形成する。僅かな箇所にしか、ホルダーとフレーム10とを結合する比較的小さな材料ウェブは位置していない。パーフォレーション、特にミクロ・パーフォレーションも可能である。これにより、後で、ホルダー4をフレーム10から取り出すことが容易になり、しかもこの場合、ホルダー4の外縁部が、フレームとの以前の結合の強い痕跡を有することはない。
【００３５】
図10Aの上側に示された打抜き部分28aは、直角に延びる2つの溝30を有している。これらの溝は厚紙材料を完全には貫通しない状態で圧刻されている。溝30は、ホルダーを後で折り曲げるのに役立ち、図3及び7から明らかである。溝30間には、ホルダー4を折り曲げた後、本に類似したパッケージの背を形成する区分が位置している。
【００３６】
図10Aの下側に示された打抜き部分28Bは、2つの打抜き部32及び34を有している。これらの打抜き部は、CDの形状にほぼ適合されている。打抜き部32は主としてCDの外輪郭を形成しており、打抜き部34はCDの内輪郭を形成している。輪郭32及び34の間に配置された材料は、これにより、厚紙から成る円板を形成する。円板は、この方法の後続の経過中に取り除かれる。打抜き部34の内部には、後で固定部材22となる材料が配置されている。
【００３７】
輪郭28b内部にも、直角に延びる2つの打抜き部38が設けられている。打抜き部の間には、ウェブ40が形成されている。ウェブの機能に関しては後で説明する。
【００３８】
打抜き部24の上側及び下側双方は2つの層を形成している。これらの層は、次の方法ステップにおいて互いに接着される。このために、図10Aに斜線で示された面上に、接着剤が塗布される。その後、両部分は折り目42に沿って折られ、互いに接着される。
このことから、前述の打抜き部と平らな区分とを有する、図10Bに示された2層状中間生成物が形成される。
【００３９】
図10Cは、破線46に沿って、図10Bに示された中間製品が新たに打抜かれる方法工程を示している。これにより、製品は最終的な外側の形状を得る。この形状は、フレーム10とさらにホルダー4とを取り囲む。この製品は図10Dに示されている。
【００４０】
図10Dにその結果が示されるように、次の工程として円板36が取り除かれ、これにより生じる切欠き6(図1−9参照)内に、データ担体2が挿入される。この形状で、製品を末端消費者に販売することができる。末端消費者は次いでプリント動作を個々に実施する。プリント動作中にプリントされることになっているホルダー内面は、図10Dに灰色陰影を有して示されている。
【００４１】
場合によってはデータ担体2と一緒にホルダー4にプリントを施したあと、前側12の内面18と、後ろ側14の内面16との間に設けられたウェブ40が取り除かれる。図3(除去前)及び図4(除去後)を比較されたい。ウェブ40はプリント動作中に、内面16及び18の表面全体がほとんど継ぎ目なしに互いに移行し、ひいては均一なプリントが可能になるために役立つ。それというのは、ウェブ40なしでは、互いに間隔を置いて配置されることになる内面16及び18が、隙間を有することになり、この隙間に、プリンターのガイドロールがプリント動作中に引っかかるおそれがあるからである。
【００４２】
すなわち、プリント動作後、パッケージを完成させるためにホルダー4を折り畳みたい場合には、先ず、接着されていないウェブが取り出されることになる(図10A参照)。この折り畳みは通常の場合、溝30によって支援される。
【００４３】
最後に、さらに切欠き6の一部として形成された別の切欠き44に言及する。この切欠き44は、厚紙円板36を取り出し、のちにデータ担体2を取り出すのを容易にするのに役立つ。
【図面の簡単な説明】
【００４４】
【図１】図1は、本発明のパッケージの第1実施例を示す図である。
【図２】図2は、本発明のパッケージの第1実施例を示す図である。
【図３】図3は、本発明のパッケージの第1実施例を示す図である。
【図４】図4は、本発明のパッケージの第1実施例を示す図である。
【図５】図5は、本発明のパッケージの第2実施例を示す図である。
【図６】図6は、本発明のパッケージの第2実施例を示す図である。
【図７】図7は、本発明のパッケージの第2実施例を示す図である。
【図８】図8は、本発明のパッケージの第2実施例を示す図である。
【図９】図9は、本発明のパッケージの第3実施例を示す図である。
【図１０】図10は、本発明のパッケージの製造方法の複数の段階を示す図である。
【図１】
2006517893.tif 000003
【図２】
2006517893.tif 000004
【図３】
2006517893.tif 000005
【図４】
2006517893.tif 000006
【図５】
2006517893.tif 000007
【図６】
2006517893.tif 000008
【図７】
2006517893.tif 000009
【図８】
2006517893.tif 000010
【図９】
2006517893.tif 000011
2006517893.tif 000012
2006517893.tif 000013
【国際調査報告】
2006517893.tif 000014
2006517893.tif 000015
2006517893.tif 000016
2006517893.tif 000017
2006517893.tif 000018
2006517893.tif 000019
2006517893.tif 000020
2006517893.tif 000021